(57)【特許請求の範囲】
【請求項１】
焼き菓子用の焼き装置における焼板部位上に菓子材料を供給する材料供給装置であって、
前記焼板部位の菓子材料の投入側に対し、前後方向の往復移動可能に装設された可動台車と、
この可動台車とともに移動されかつ該可動台車の移動方向と同方向の上方から下方に至る水平循環回動可能に装設された菓子材料を乗載する供給コンベアと、
前記可動台車を前記焼板部位の菓子材料の投入側に前進移動した時、前記供給コンベアの下方に位置する部位を固止して該供給コンベアの前進方向への循環回動を許容する第1の固止手段と、
前記可動台車を前記焼板部位の菓子材料の投入側から後退移動した時、前記供給コンベアの上方に位置する部位を固止して該供給コンベアの後退方向への循環回動を許容する第２の固止手段と、を備えてなるを特徴とする焼き菓子用焼き装置の材料供給装置。
【請求項２】
請求項１記載の焼き菓子用焼き装置の材料供給装置であって、前記可動台車を流体圧シリンダの１回の往復動により前進及び後退移動し、その前進終了時に前記供給コンベアにおける菓子材料の乗載部位が前記焼板部位の上面全体に位置するように、第１の固止手段の固止動作を制御するように構成してなるを特徴とする焼き菓子用焼き装置の材料供給装置。
【請求項３】
請求項１または２記載の焼き菓子用焼き装置の材料供給装置であって、前記供給コンベアを前端側と後端側とに配置された案内部材に巻回状に張設し、該前端側の案内部材に対する供給コンベアの巻回部位を鋭角状の前下がり状態に構成したことを特徴とする焼き菓子用焼き装置の材料供給装置。
【発明の詳細な説明】
【技術分野】
【０００１】
本発明は、例えば、体験コーナーにおいて煎餅等の焼き菓子を焼く焼き菓子用焼き装置において、該装置の焼板部位上に菓子材料を供給する材料供給装置に関するものである。
【背景技術】
【０００２】
さて、近時、各種の催しや観光地の土産販売等において、参加者が自由に参加して体験できる各種の体験コーナーが設定されている。
そして、煎餅等の焼き菓子にあっても、この体験コーナーにおいて参加者の各自が焼き装置を使用して焼き菓子を作る（製造する）ことが行われている。
一般に、この焼き菓子を作る（製造する）場合には、焼き装置の焼板上に菓子材料をそのまま載置して焼くという作業が主に行われているのが現状であった。
なお、上記焼き菓子の焼き作業の技術にあっては、一般的に行なわれているので、とくに、文献としては未調査である。
【発明の開示】
【発明が解決しようとする課題】
【０００３】
しかしながら、上記した焼き装置の焼板上に菓子材料をそのまま載置して焼くという作業にあっては、この焼板が高温であることから、ときとして体験者に不測の事故を招来する恐れがあり、体験者等が簡単に菓子材料を焼き装置の焼板上に供給できる手段が希求されていた。
そこで、本発明は、例えば、体験コーナーにおける焼き菓子の焼き作業にあって、焼き装置の焼板部位上に菓子材料を簡単かつ短時間に供給することができる焼き菓子用焼き装置の材料供給装置を提供することを目的とする。
【課題を解決するための手段】
【０００４】
上記した課題は、各請求項記載の発明によって解決される。
請求項１記載の発明は、焼き菓子用焼き装置における焼板部位上に菓子材料を供給する材料供給装置であって、
前記焼板部位の菓子材料の投入側に対し、前後方向の往復移動可能に装設された可動台車と、
この可動台車とともに移動されかつ該可動台車の移動方向と同方向の上方から下方に至る水平循環回動可能に装設された菓子材料を載置する供給コンベアと、
前記可動台車を前記焼板部位の菓子材料の投入側に前進移動した時、前記供給コンベアの下方に位置する部位を固止して該供給コンベアの前進方向への循環回動を許容する第1の固止手段と、
前記可動台車を前記焼板部位の菓子材料の投入側から後退移動した時、前記供給コンベアの上方に位置する部位を固止して該供給コンベアの後退方向への循環回動を許容する第２の固止手段と、を備えてなるを特徴とする。
【０００５】
この発明によれば、菓子材料を載置する供給コンベアを、可動台車の前進移動によって焼き装置における焼板部位の菓子材料の投入側に向けて前進方向に循環回動するとともに、可動台車の後退移動
によって該焼板部位の菓子材料の投入側から後退する後退方向に循環回動することにより、該供給コンベア上に載置された菓子材料を焼板部位上に供給することができる。このため、焼き菓子用焼き装置における焼板部位上に対し、その前方から菓子材料を自動的にかつ簡単に供給することができる。
【０００６】
請求項２記載の発明は、請求項１記載の焼き菓子の製造装置における材料供給装置であって、前記可動台車を流体圧シリンダの１回の往復動により前進及び後退移動し、その前進終了時に前記供給コンベアにおける菓子材料の乗載部位が前記焼板部位の上面全体に位置するように、第１の固止手段の固止動作を制御するように構成してなるを特徴とする。
【０００７】
この発明によれば、流体圧シリンダの１回の往復動により可動台車を前進及び後退移動し、その前進終了時に供給コンベアにおける菓子材料の乗載部位を焼板部位の上面全体に位置させることができる。これによって、焼き菓子用焼き装置における焼板部位上に対し、その前方から菓子材料を自動的に簡単かつ短時間に供給することができる。
【０００８】
請求項３記載の発明は、請求項１または２記載の焼き菓子の製造装置における材料供給装置であって、前記供給コンベアを前端側と後端側とに配置された案内部材に巻回状に張設し、該前端側の案内部材に対する供給コンベアの巻回部位を鋭角状の前下がり状態に構成したことを特徴とする。
【０００９】
この発明によれば、供給コンベアに載置された菓子材料を、該供給コンベアから焼板部位上に円滑かつ正確に供給することができる。
【発明の効果】
【００１０】
本発明によれば、例えば、体験コーナーにおける焼き菓子の焼き作業にあって、焼き装置の焼板部位上に菓子材料を簡単かつ短時間に供給することができる。
【発明を実施するための最良の形態】
【００１１】
次に、本発明を実施するための最良の形態について、実施例にしたがって説明する。
【実施例】
【００１２】
以下、図１〜図５に基づいて本発明に係る材料供給装置を焼き菓子用焼き装置に適用した例を説明する。
【００１３】
図１において、箱状に形成された架台１上の一方側には焼き装置２が装設され、他方側には本実施例における材料供給装置3が装設されている。
この焼き装置２は、一対の下焼板４と該下焼板４に対してその上面を開放及び閉塞するように、一側部がブラケット及び支持ピン５を介して傾動可能に支持された上焼板６とから構成され、この上焼板６の支持ピン５側には焼板開閉用の流体圧シリンダ７のロッド７ａが連接部材８を介して傾動可能に支承されている。
なお、流体圧シリンダ７のシリンダ下端部は前記架台１の側部にブラケットを介して傾動可能に支承されている。また、前記焼き装置２の下焼板４及び上焼板６は、所定の電熱手段（図示しない）により所定の温度に熱せられるように構成されている。
【００１４】
前記材料供給装置３が装設される側の架台１上の長手方向両側にはその一端から前記焼き装置２の前方に至る断面ほぼコ字状の長尺のレール部材８、８が水平状に支持部材９〜９を介して装設されている。このレール部材８、８間には所定の厚さの可動台車９が配設されていて、該可動台車９の両側部の前後部位には前記レール部材８、８のレール溝内に転動可能に嵌合された案内輪１０、１０が回転可能に支承されている。
【００１５】
前記可動台車９の後端部のほぼ中央部には連結片１１が垂下され、この連結片１１には前記架台１に対しそのシリンダ端部がブラケットを介して支持された台車移動用の流体圧シリンダ１２のロッド１２ａが連結されている。しかして、可動台車９は該流体圧シリンダ１２のロッド１２における１回の往復動によりレール部材８、８に沿って前記焼き装置２、すなわち、下焼板４の菓子材料Ｗの投入側に向かって前進及び後退移動されるように構成されている。
【００１６】
前記可動台車９の上方には支持部材１３を介して供給コンベア１４が水平状に装設され、この供給コンベア１４は該支持部材１３に装設された平板状のベルト案内部材１５と、無端状のベルト部材１６とを主体として構成され、このベルト案内部材１５の前端部（焼き装置２側）にはブラケット１７を介して小径の案内ローラ１８が回転可能に支承されかつ後端部にはブラケット１９を介して大径の案内ローラ２０が回転可能に支承されている。
【００１７】
そして、前記両案内ローラ１８、２０間に前記無端状のベルト部材１６が上方から下方に至る水平循環回動可能に巻回状態で装設されている。なお、供給コンベア１４におけるベルト案内部材１５及びベルト部材１６はそのほぼ中央部から前端部が前記可動台車９より延出されている。また、ベルト部材１６の前端部位は案内ローラ１８とベルト案内部材１５との位置関係によって鋭角状の前下がり状態に巻回されるとともに、前記焼き装置２における下焼板４の上面に対して若干上方に位置するように構成されている。
【００１８】
しかして、供給コンベア１４は、可動台車９とともに前進及び後退移動され、該可動台車９の前進端において、その前端部位が焼き装置２における下焼板４の全上面に対向位置されるように位置設定されている。
【００１９】
前記架台１のほぼ中央部、すなわち、後退端位置にある供給コンベア１４のほぼ前端部寄りには門形状に形成した中間固定フレーム２１が立設されており、その水平部２２が該供給コンベア１４の巻回したベルト部材１６の上方巻回と下方巻回との間の位置されている。
【００２０】
前記中間固定フレーム２１の水平部２２の下方には、前記ベルト部材１６の下方巻回部位を該中間固定フレーム２１の水平部２２の下面に押圧固止する第1の固止手段２３が装設され、この第１の固止手段２３は、該中間固定フレーム２１の水平部２２に対向して横架された押圧部材２４と、該押圧部材２４の両端部において、下端が架台１側に取付けられかつそのロッド２５が押圧部材２４に取付けられた２本の第１の流体圧シリンダ２６とから構成されている。しかして、第1の固止手段２３は、可動台車９とともに供給コンベア１４が前進移動する時に両第１の流体圧シリンダ２６の往復動により押圧部材２４を上下動してベルト部材１６の下方巻回部位を該中間固定フレーム２１の水平部２２の下面に押圧固止し、可動台車９とともに供給コンベア１４が後退移動する時にその固止状態を解離するように構成されている。
【００２１】
また、前記中間固定フレーム２１の水平部２２の上方には、前記ベルト部材１６の上方巻回部位を該中間固定フレーム２１の水平部２２の上面に押圧固止する第２の固止手段２７が装設され、この第２の固止手段２７は、該中間固定フレーム２１の水平部２２に対向して横架された押圧部材２８と、該押圧部材２８の両端部において、下端が架台１側に取付けられかつそのロッド２９が押圧部材２８に取付けられた２本の第２の流体圧シリンダ３０とから構成されている。しかして、第２の固止手段２７は、可動台車９とともに供給コンベア１４が後退移動する時に両第２の流体圧シリンダ３０の往復動により押圧部材２８を上下動してベルト部材１６の上方巻回部位を該中間固定フレーム２１の水平部２２の上面に押圧固止し、可動台車９とともに供給コンベア１４が前進移動する時にその固止状態を解離するように構成されている。
【００２２】
なお、前記第１及び第２の固止手段２３、２７にあっては、可動台車９及び供給コンベア１４の前進及び後退移動を阻害しない位置に装設されているものである。
【００２３】
上述のように構成された本実施例の材料供給装置３により菓子材料Ｗを焼き装置２に供給する場合について説明する。
さて、図１に示すように、可動台車９及び供給コンベア１４がともにレール部材８、８に対して後退端に位置されている状態において、可動台車移動用の該流体圧シリンダ１２を作動してそのロッド１２を往復動すると、該可動台車９はレール部材８、８に沿って案内輪１０により案内されながら焼き装置２、すなわち、下焼板４の菓子材料Ｗの投入側に向かう前進移動と、該下焼板４の菓子材料Ｗの投入側から退避される後退移動がなされるものである。
【００２４】
そして、供給コンベア１４全体は前記可動台車９と一体となって前進及び後退移動され、その前進状態において前端部位が上面を開放した状態にある焼き装置２における下焼板４の全上面部位の上方まで位置され、その後退状態において前端部位が下焼板４の上面から退避されるものである。
【００２５】
そこで、供給コンベア１４全体の前進移動時に、第１の固止手段２３を作動して該供給コンベア１４におけるベルト部材１６の下方巻回部位を中間固定フレーム２１の水平部２２とにより固止状態とすると、該ベルト部材１６は供給コンベア１４全体の前進移動に伴ってその移動量分だけベルト案内部材１５及び案内ローラ１８、２０に案内されながらその前進方向に水平状に循環回動（移動）されて該ベルト案内部材１５の後端部側に位置されていたベルト部材１６がその前端部側に移動（変移）される。
【００２６】
したがって、焼き装置２における下焼板４の上面への菓子材料Ｗの供給に際し、該ベルト案内部材１５の後端部側に位置されていたベルト部材１６上に菓子材料Ｗを載置すると、その菓子材料Ｗは、焼き装置２の下焼板４の全上面部位に位置された供給コンベア１４の前端部位まで移動（変移）されることになる。
【００２７】
ついで、供給コンベア１４全体の後退移動時に、前記第１の固止手段２３を作動して供給コンベア１４におけるベルト部材１６の下方巻回部位の固止状態を解離するとともに、第２の固止手段２７を作動して該供給コンベア１４におけるベルト部材１６の上方巻回部位を中間固定フレーム２１の水平部２２とにより固止状態とすると、該ベルト部材１６は供給コンベア１４全体の後退移動に伴ってその移動量分だけベルト案内部材１５及び案内ローラ１８、２０に案内されながら前述とは逆にその後退方向に水平状に循環回動（移動）されて該ベルト案内部材１５の前端側に位置されていたベルト部材１６がその後端部側に移動（変移）される。
【００２８】
したがって、焼き装置２における下焼板４の上面への菓子材料Ｗの供給に際し、焼き装置２の下焼板４の全上面部位に位置された供給コンベア１４の前端部位にある菓子材料Ｗが順次下焼板４の上面に移行され、その下焼板４上に供給された状態となる。
【００２９】
このようにして、焼き装置２における下焼板４部位上に対し、その前方から菓子材料Ｗを自動的にかつ簡単に供給することができ、可動台車９を流体圧シリンダ７の１回の往復動により前進及び後退移動し、その前進終了時に供給コンベア１４におけるベルト部材１６への菓子材料Ｗの乗載部位が下焼板４部位の上面全体に位置するように、第１の固止手段２３、または第２の固止手段２７の固止動作を制御することによって、流体圧シリンダ７の１回の往復動により可動台車９を前進及び後退移動してその前進終了時に供給コンベア１４におけるベルト部材１６への菓子材料Ｗの乗載部位を下焼板４部位の上面全体に正確に位置させることができる。これによって、焼き装置２における下焼板４部位上に対し短時間に供給することができる。
【００３０】
また、本実施例においては、供給コンベア１４のベルト部材１６を前端側と後端側とに配置された案内ローラ１８、２０に巻回状に張設した状態において、その前端側の案内ローラ１８に対するベルト部材１６の巻回部位を鋭角状の前下がり状態にすることによって、ベルト部材１６に載置された菓子材料Ｗを該ベルト部材１６から下焼板４部位上に円滑かつ正確に供給することができる。
【００３１】
なお、本実施例にあっては、供給コンベア１４のベルト部材１６を無端状としたが、これに限定するものではなく、また、架台１に対するレール部材８、レール部材８に対する可動台車９、可動台車９に対する供給コンベア１４等の取付け構成は図示のものに限定するものではなく、本発明の要旨を逸脱しない範囲において種々変更が可能である。また、第１及び第２の固止手段２３、２７における作動手段も流体シリンダに限定するものではない。
【図面の簡単な説明】
【００３２】
【図１】本実施例における装置を略示する正面図である。
【図２】同じく平側面図である。
【図３】第１及び第２の固止手段を示す略体拡大側面図である。
【図４】可動台車と供給コンベアの取付け状態を示す一部省略の拡大北面図である。
【図５】供給コンベアにおけるベルト部材の循環回動状態を示す一部省略の説明図である。
【符号の説明】
【００３３】
１    架台
２    焼き装置
３    材料供給装置
９    可動台車
１４  供給コンベア
２３  第１の固止手段
２７  第２の固止手段
Ｗ    菓子材料
【図１】
0003725532.tif 000002
【図２】
0003725532.tif 000003
【図３】
0003725532.tif 000004
【図４】
0003725532.tif 000005
【図５】
0003725532.tif 000006